(57)【要約】【課題】高さが低いながらも強固に固定できるうえに、固定対象である下葺屋根の角馳部の大きさのばらつきに対応できるようにする。【解決手段】角馳部２３ａを跨ぐ長さの主金具３１と、主金具３１の半分に被覆される従金具５１を備える。主金具３１と従金具５１は、角馳部２３ａの長手方向に離間配置されて角馳部２３ａと交差する交差板３２，５２と、これらの上端同士を連結する上面板３３，５３を有する。主金具３１の交差板３２には、角馳部２３ａの大きさのばらつきを吸収する包囲切欠き部３４と、包囲切欠き部３４の縁で角馳部２３ａの側面に接する挟圧部３５を形成する。従金具５１の交差板５２には、角馳部２３ａの他方の側面に接する挟持部５４を形成する。主金具３１と従金具５１は、ボルト７１で結合されて角馳部２３ａを締め付ける。従金具５１の上面板５３の端には、主金具３１の上面板３３に上から接し、荷重を伝達する段差形成片６３を形成する。【選択図】図１
2020037820.tif 000002
【特許請求の範囲】
【請求項１】
屋根の突条部を挟持して屋根上に取り付けられ、上に取り付け物を支持する屋根上取り付け金具であって、
屋根板の長手方向に離間配置されて屋根板の突条部と交差する交差板と、前記交差板の上端同士を連結する上面板を有し、突条部を挟む左右方向で互いに組み合わされる主金具及び従金具を備え、
前記主金具の前記交差板には、下に向けて開口して突条部を収める大きさの包囲切欠き部が形成され、
前記包囲切欠き部における前記従金具とは反対側の縁に、突条部の側面に接する挟圧部が形成され、
前記主金具の前記上面板における前記包囲切欠き部よりも前記挟圧部とは反対側の部位に、下方に延びる内側垂下板が形成されるとともに、
前記主金具の前記上面板における前記包囲切欠き部よりも前記内側垂下板とは反対側の部位に、前記取り付け物を固定するための固定部が形成され、
前記従金具の前記交差板が前記主金具の前記交差板よりも高く形成されて前記従金具が前記主金具の前記内側垂下板を有する部位を被覆可能な大きさに形成され、
前記従金具の前記交差板には、前記主金具の前記挟圧部に対向して突条部の側面に接する挟持部が形成され、
前記従金具の前記上面板における前記主金具の前記内側垂下板に対向する部位に、下方に延びる外側垂下板が形成され、
前記上面板における前記外側垂下板とは反対側の端部に、下端が前記主金具の前記上面板に接する段差形成片が垂設され、
前記外側垂下板と前記内側垂下板には、互いを接近させる方向に締め付ける締め付け手段が設けられた
屋根上取り付け金具。
【請求項２】
前記締め付け手段がボルトであり、
前記内側垂下板には、前記ボルトが螺合する一体の雌ねじ部が形成され、
前記外側垂下板には、前記ボルトを挿通する挿通穴が形成された
請求項１に記載の屋根上取り付け金具。
【請求項３】
前記雌ねじ部がバーリングにより形成されたものであるとともに、
前記固定部が、バーリングによるねじ穴で構成された
請求項２に記載の屋根上取り付け金具。
【請求項４】
前記内側垂下板が前記主金具の前記上面板から一体に折り曲げ形成されるとともに、
前記内側垂下板の外側面に接する被覆板が、前記主金具の前記交差板から一体に折り曲げ形成され、
前記外側垂下板には、前記従金具の前記交差板の端面に接する接合部が形成された
請求項１から請求項３のうちいずれか一項に記載の屋根上取り付け金具。
【請求項５】
前記挟圧部が屋根の突条部に沿って広がる挟圧板で構成された
請求項１から請求項４のうちいずれか一項に記載の屋根上取り付け金具。
【請求項６】
前記挟圧板に、屋根の突条部に向けて突出する突起が形成された
請求項５に記載の屋根上取り付け金具。
【請求項７】
前記突起が突出方向に凹む凹部を有する
請求項６に記載の屋根上取り付け金具。
【請求項８】
請求項１から請求項７のうちいずれか一項に記載の屋根上取り付け金具を用いた
屋根構造。
【請求項９】
請求項７に記載の屋根上取り付け金具を用い、
前記突起の前記凹部に、屋根の突条部に向けてドリルねじが螺合された
屋根構造。
【発明の詳細な説明】
【技術分野】
【０００１】
この発明は、たとえば馳締式の折板屋根などのような屋根の上に屋根板や設置物などの取り付け物を固定するのに好適な屋根上取り付け金具に関し、より詳しくは、小型でありながらも高い強度が得られるような屋根上取り付け金具に関する。
【背景技術】
【０００２】
折板屋根の上に折板を固定する屋根上取り付け金具として、下記特許文献１の金具を案出した。この金具は、固定時の高さを低くする小型化と、強度の確保を図ったものであって、支持体と締め付け体を有する構造である。支持体は、屋根の突条部を左右に跨ぐ形状であり突条部の一方側に当たる一方の挟持部を下端に有している。また、上面部の左右方向の中間には、一方の挟持部を有する側を高くする段差部が形成され、他方側の端には垂下片が形成されている。垂下片は、他方側に延びる締め付けボルトを有している。締め付け体は、支持体の他方側に添えられ突条部の他方側に当たる他方の挟持部を下端に有し、支持体の垂下片に対向する受圧片が形成されている。受圧片は締め付けボルトを挿通する貫通穴を有している。
【０００３】
この金具では、支持体の締め付けボルトに締め付け体の貫通穴を挿嵌し、締め付けボルトにナットを螺合して支持体の一方の挟持部と締め付け体の他方の挟持部を互いに近づけると、突条部の下部が一対の挟持部で締め付けられ、屋根に対する固定がなされる。
【０００４】
この金具によると、突条部を挟む付けるための締め付けボルトを突条部よりも上に設ける必要がなく、固定時における小型化を実現できるなど所期の目的を達することができる。しかし、突条部に対する締め付けは、突条部の下端部に対して行う。つまり、支持体と締め付け体の挟持部を構成する板材は水平または水平に近い方向に広がるものであって、突条部の上下方向の比較的広い範囲を挟み付けるものではない。
【０００５】
突条部を挟み付ける部位が垂直方向に広がる部分に形成されて突条部の上下方向の比較的広い範囲を挟み付ける小型の金具として、下記特許文献２に開示の金具がある。この金具は、上板部と、上板部の一端から折曲形成されたボルト支持板部と、上板部におけるボルト支持板部を形成した辺と直角をなす２辺から折曲形成された係止側面部と、ボルト支持板部に螺合された締付ボルトで構成されている。係止側面部は、ボルト支持板部に向かって突出する特定形状の係止突起部と、係止突起部より上の上部へこみ部を有している。
【０００６】
この金具では、係止側面部の係止突起部を突条部である馳締連結部の特定部位に当てて締付ボルトを締めることによって、係止突起部と締付ボルトで馳締連結部を挟持する。
【０００７】
下記特許文献３には、突条部の全体を拘束する金具が開示されている。
【０００８】
この金具は、左右一対の挟着部材と、これらを連結する連結用ボルトで構成されている。一方の挟着部材には、突条部としての角ハゼ部の一方の側面に接する上下方向に延びる直線状の当接縁部とその上の上側挟持部が形成され、他方の挟着部材には、角ハゼ部の他方の側面に接する突起片とその上の下側挟持部が形成されている。
【０００９】
連結用ボルトは他方の挟着部材の上面である連結天板部から上に突設されており、この連結用ボルトを挿通する長穴が一方の挟着部材の上面である連結用天板部に形成されている。長穴は、左右方向に長く形成されており、他方の挟着部材を一方の挟着部材に対して傾けた姿勢で屋根の角ハゼ部に被せらせるように構成されている。
【００１０】
角ハゼ部に対する固定は、連結用ボルトにナットを螺合して、他方の挟着部材の連結用天板部を一方の挟着部材の連結用天板部の下面に重ねるように締め付ける。
【００１１】
しかし、特許文献２、３のいずれの金具も、突条部の高さなど大きさのばらつきには対応しにくい。所望通りに締め付けられないと、強度の上で問題が生じ得る。
【００１２】
また、特許文献３の金具にあっては、上向きの連結用ボルトで一対の挟着部材の締め付け状態を保持する構造であって、一対の金具を突条部に対する締め付け方向で積極的に締め付けるものではない。
【００１３】
さらに、特許文献１の金具の場合もそうであるが、折板を固定するための吊り子などのような取り付け物を固定するための段差は、特許文献４、５をみても判るように、一つの部材に形成されるのが常であった。このため、負圧によって掛かる負荷は、段差を形成する部材の特定の部位に掛かりやすく、特許文献１の金具のように補強のためのリブを設けるなどの対策が必要であった。
【先行技術文献】
【特許文献】
【００１４】
【特許文献１】特開２０１７−１９３９１８号公報
【特許文献２】特開２０１２−２６０９９号公報
【特許文献３】特許第６２９５２３３号公報
【特許文献４】特許第５０４３３７５号公報
【特許文献５】特許第５８０８０２２号公報
【発明の概要】
【発明が解決しようとする課題】
【００１５】
この発明は、小型で強固な固定が可能でありながらも、固定対象である突条部の大きさのばらつきにも対応できるようにすることを主な目的とする。
【課題を解決するための手段】
【００１６】
そのための手段は、屋根板の長手方向に離間配置されて屋根板の突条部と交差する交差板と、前記交差板の上端同士を連結する上面板を有し、突条部を挟む左右方向で互いに組み合わされる主金具及び従金具を備え、前記主金具の前記交差板には、下に向けて開口して突条部を収める大きさの包囲切欠き部が形成され、前記包囲切欠き部における前記従金具とは反対側の縁に、突条部の側面に接する挟圧部が形成され、前記主金具の前記上面板における前記包囲切欠き部よりも前記挟圧部とは反対側の部位に、下方に延びる内側垂下板が形成されるとともに、前記主金具の前記上面板における前記包囲切欠き部よりも前記内側垂下板とは反対側の部位に、上に支持される取り付け物を固定するための固定部が形成され、前記従金具の前記交差板が前記主金具の前記交差板よりも高く形成されて前記従金具が前記主金具の前記内側垂下板を有する部位を被覆可能な大きさに形成され、前記従金具の前記交差板には、前記主金具の前記挟圧部に対向して突条部の側面に接する挟持部が形成され、前記従金具の前記上面板における前記主金具の前記内側垂下板に対向する部位に、下方に延びる外側垂下板が形成され、前記上面板における前記外側垂下板とは反対側の端部に、下端が前記主金具の前記上面板に接する段差形成片が垂設され、前記外側垂下板と前記内側垂下板には、互いを接近させる方向に締め付ける締め付け手段が設けられた屋根上取り付け金具である。
【００１７】
この構成では、主金具の内側垂下板と、主金具の内側垂下板を有する部位を被覆可能な従金具の外側垂下板を締め付け手段で互いに近接させると、主金具の挟圧部と従金具の挟持部で屋根の突条部の両側面が、挟み付けを行うべき方向で積極的に挟み付けられる。このとき、主金具の挟圧部を有する部位は、突条部を収める大きさの包囲切欠き部を有しており、突条部の高さなど大きさの違いを吸収する。
【００１８】
屋根に対する固定状態においては、主金具や従金具に正圧がかかると、締め付け手段で一体化された主金具と従金具がそれぞれ荷重を支える。従金具の上面板にかかる荷重は交差板で支えられるとともに、段差形成片を介して主金具の上面板に伝達され、上面板にかかる荷重は交差板で支えられる。
【００１９】
一方、負圧が作用して主金具の固定部に上へ引き上げる力がかかると、特に従金具の段差形成片が主金具の変位を強力に阻止する。つまり、主金具は締め付け手段を介して従金具と一体であるうえに、主金具と従金具が協働して屋根の突条部を締め付けているので、主金具の上面板は単に接しているだけの従金具の段差形成片で押さえられる。段差形成片で押さえられる主金具の上面板は、段差部を１つの部材に一体形成した場合と異なり、負荷が分散され、また負荷に対する十分な耐力が得られ、変形の力が局所的にかかることが抑制される。
【発明の効果】
【００２０】
この発明によれば、屋根の突条部より上に締め付け手段を備える必要がないので小型化を図れる。しかも、主金具と従金具を段差が形成されるべき部位で分けて別部材として構成して負荷の集中を回避できるようにしたので、強固な固定状態を得られる。そのうえ、一方の主金具に包囲切欠き部と挟圧部を形成して、他方の従金具には挟圧部に対向する挟持部を形成したので突条部の大きさのばらつきにも対応し得る。
【図面の簡単な説明】
【００２１】
【図１】屋根上取り付け金具の固定状態の正面図。
【図２】屋根上取り付け金具の固定状態の要部の断面図。
【図３】屋根上取り付け金具の斜視図。
【図４】屋根上取り付け金具の分解斜視図。
【図５】主金具の斜視図。
【図６】従金具の斜視図。
【図７】主金具と従金具を組み合わせた離反状態の一部断面正面図。
【図８】屋根上取り付け金具の使用状態の説明図。
【図９】屋根上取り付け金具の固定状態の平面図。
【発明を実施するための形態】
【００２２】
この発明を実施するための一形態を、以下図面を用いて説明する。
【００２３】
この発明の屋根上取り付け金具（以下、「取り付け金具」という）は、上面に突条部を有した屋根に固定されるもので、突条部を挟持して屋根上に取り付けられ、上に取り付け物を支持する。取り付け金具は、改修の目的で取り付け物としての屋根板を固定したり、機能付与の目的で取り付け物としての太陽電池パネルや雪止め金具などの設置物を固定したりするのに使用される。この説明では、前者の改修目的に使用する取り付け金具を用いた屋根構造の例を説明する。
【００２４】
図１に、取り付け金具１１の使用状態を示す。この取り付け金具１１は、下葺屋根１２の上に取り付けられて上葺屋根１３を固定する。下葺屋根１２と上葺屋根１３は折板屋根２１であり、複数の折板２２をそれぞれの左右方向の縁の馳部２３で結合して形成される。下葺屋根１２は角馳式であり、上葺屋根１３は丸馳式である。上葺屋根１３は角馳式の折板屋根２１で構成することもできる。
【００２５】
屋根について付言すると、一例である前述の折板屋根２１は山部と谷部を繰り返す波形で、山部の頂面に、左右の平面部２４，２５と、これらに挟まれた突条部としての馳部２３を有する。平面部２４，２５は、図示例では若干傾斜させて描いたが、水平なものもある。屋根は馳式の折板屋根２１のほか、嵌合式の折板屋根や瓦棒屋根、立平屋根などでもよい。
【００２６】
角馳式の馳部２３である角馳部２３ａは、折板２２の長手方向の端面を正面にして一方（図面右側）の側面全体が平らな大平面部２６を有し、他方（図面左側）の側面には、上部において他方に向けて突出する突出部２７と、それより下の小平面部２８を有している。角馳部２３ａと丸馳部２３ｂはそれぞれ基本形状を同一にするが、各部の寸法は所定以下と規定されており、ばらつきがある。
【００２７】
図１に示したように取り付け金具１１は、主金具３１と従金具５１を有している。図２は取り付け金具１１の使用状態の要部を示す断面図であり、主金具３１と従金具５１は、下葺屋根１２の角馳部２３ａを挟む左右方向で互いに組み合わされる。組み合わせの態様は、主金具３１の左右方向の他方側（図面左側）の部分を従金具５１が覆うものである（図３参照）。
【００２８】
これら主金具３１と従金具５１は共に、１枚の金属板を折り曲げて形成されており、下葺屋根１２の長手方向に離間配置されて下葺屋根１２の角馳部２３ａと交差する交差板３２，５２と、交差板３２，５２の上端同士を連結する上面板３３，５３を有している。主金具３１と従金具５１は、１枚の金属板から製造するほか、複数の部材を組み合わせて構成してもよい。
【００２９】
主金具３１の交差板３２と上面板３３の左右方向における長さは、下葺屋根１２の左右の平面部２４，２５をつなぐ長さと同じかそれよりも若干短く設定されている。交差板３２の上下方向の高さは、下葺屋根１２の角馳部２３ａよりも高く、角馳部２３ａを収められる高さのうち極力低い所望の高さに形成される。
【００３０】
そして交差板３２の左右方向における中間部には、下に向けて開口し角馳部２３ａを収める大きさの包囲切欠き部３４が形成されている。包囲切欠き部３４の大きさは、大きさのばらつきを考慮しつつ固定対象となる角馳部２３ａを収容できるように大きめに設定される。包囲切欠き部３４の形状は正面視略四角形である。
【００３１】
包囲切欠き部３４における従金具５１とは反対側の縁に、角馳部２３ａの一方側の側面である大平面部２６に接する挟圧部３５が形成されている。挟圧部３５は、角馳部２３ａの大平面部２６に沿って広がる方形板状の挟圧板３６で構成されている。
【００３２】
挟圧板３６には、角馳部２３ａに向けて突出する複数の突起３７が形成されている。これらの突起３７は半球状である。半球状のほか、角錐状などの他の形状であってもよい。
【００３３】
また突起３７の背面には、突出方向に凹む凹部３７ａを有している。つまり、突起３７は打ち出して形成されている。具体的には、突起３７の数は１枚の挟圧板３６につき３個であり、交差板３２に近い位置には上下に２個形成され、交差板３２から離れた位置には上下方向の中間に１個形成され、全体として三角形をなす配置である。交差板３２に近い位置の突起３７についての左右方向における芯の位置は、交差板３２の外側に交差板３２と同じ厚さの板材を置いたと仮定した場合のその板材の芯よりも交差板３２から離れた外側に位置している。
【００３４】
突起３７の個数や配置は、前述の３個三角形のほかにも適宜設定できる。
【００３５】
交差板３２の下端のうち、挟圧板３６よりも一方側、つまり包囲切欠き部３４とは反対側の部位は、外方に折曲形成された接地片３８を有している。接地片３８は、下葺屋根１２の上端の平面部２５の傾斜に対応して傾けてある。
【００３６】
交差板３２の下端のうち、包囲切欠き部３４よりも他方側の部位は、垂直な板状部分のみで構成されており、図２、図４に示したように接地片３８との逆の傾きの下端辺３９を有している。
【００３７】
主金具３１の上面板３３における包囲切欠き部３４より挟圧部３５とは反対側の端部に、下方に延びる内側垂下板４１が形成されている（図２、図５参照）。内側垂下板４１は方形板状であり、上面板３３から連続している。つまり、内側垂下板４１は上面板３３から一体に折り曲げ形成されている。内側垂下板４１の高さは、交差板３２の対応部位の高さと略同じである。
【００３８】
内側垂下板４１の中央部であって上下方向における角馳部２３ａの上下方向の中間部、具体的には角馳部２３ａの突出部２７の下に対応する部位には、ボルト７１が螺合する雌ねじ部４２が形成されている。雌ねじ部４２は、バーリングにより形成された貫通穴の内周面にねじを切って形成される。バーリングは、外面から内面に向けて行われる。この結果、雌ねじ部４２は内側垂下板４１の内面から内方に突出している。
【００３９】
交差板３２の内側垂下板４１側の端には、内側垂下板４１の外側面に接する被覆板４３が形成れている。つまり、被覆板４３は交差板３２から一体に折り曲げ形成されており、内側垂下板４１を抱え込んでいる。一対の被覆板４３は台形状であり、雌ねじ部４２に対応する部分には、雌ねじ部４２へのボルト７１の螺合を許容する略半円形の切欠き４３ａを有している。
【００４０】
また、主金具３１の上面板３３における包囲切欠き部３４よりも内側垂下板４１とは反対側の部位には、取り付け物としての上葺屋根１３を固定するための吊子１４を固定する固定部４４が形成されている。固定部４４は、内側垂下板４１の雌ねじ部４２と同様にバーリングによるねじ穴で構成されている。バーリングは上面から下面に向けて行われ、固定部４４は上面板３３の下面から下方へ突出している。
【００４１】
従金具５１の交差板５２と上面板５３の左右方向における長さは、下葺屋根１２の他方側、つまり図面左側の平面部２４と同じかそれよりも若干短く設定されている。換言すれば、従金具５１の左右方向における長さは、主金具３１の半分程度に設定されている。従金具５１の交差板５２の間隔は、主金具３１の交差板３２の外側に嵌合対応する間隔である。
【００４２】
交差板５２の上下方向の高さは、主金具３１の交差板３２より高く形成されており、従金具５１が主金具３１の内側垂下板４１を有する他方側の略半分の部位に被覆可能である。
【００４３】
交差板５２は、主金具３１の挟圧部３５に対向して角馳部２３ａの側面に接する挟持部５４を有している。具体的には、図４に示したように、角馳部２３ａの突出部２７を収容する凹所５５と、この凹所５５より下において、角馳部２３ａの小平面部２８に当たる当接縁部５６を有している。凹所５５の内奥部は半円形であり、凹所５５部の内径と切り込み深さは、突出部２７の大きさのばらつきを考慮して大きめに形成されている。また、凹所５５の上側の辺５５ａは、主金具３１の包囲切欠き部３４の上側の辺３４ａと同一又はほぼ同じ高さである。当接縁部５６の左右方向における位置（先端位置）は、凹所５５より上の部位５７と同じである。
【００４４】
交差板５２の下端は、外方に折曲形成された接地片５８を有している。接地片５８は、下葺屋根１２の上端における対応する平面部２４の傾斜に対応して傾けてある。
【００４５】
従金具５１の上面板５３における他方側の端であって主金具３１の内側垂下板４１に対向する部位には、下方に延びる外側垂下板６１が形成されている。つまり外側垂下板６１は上面板５３から一体に折り曲げ形成されている。外側垂下板６１の高さは、交差板５２の対応部位の高さと略同じである。外側垂下板６１の両側縁であって交差板５２の端面５２ａに対向する部位には、図６に示したように、交差板５２の端面５２ａに接する接合部６１ａを有している。
【００４６】
また、外側垂下板６１における内側垂下板４１の雌ねじ部４２に対応する部位には、ボルト７１を挿通する丸い挿通穴６２が形成されている。挿通穴６２はボルト７１の直径に対応させて大きすぎないように形成されており、例えばボルト７１の直径が１０ｍｍであれば挿通穴６２の直径は１１ｍｍなど、ボルト７１の直径よりも僅かに大きく、嵌合対応可能な程度の大きさに設定される。
【００４７】
一方、従金具５１の上面板５３における外側垂下板６１とは反対側の端部に、段差形成片６３が垂設されている。段差形成片６３の下端６３ａは、主金具３１の上面板３３に上から接する。段差形成片６３は上面板５３から一体に折り曲げ形成されており、段差形成片６３の上下方向の長さ（高さ）は、必要な段差を形成できる長さに設定される。段差形成片６３の下端６３ａは直線状である。
【００４８】
取り付け金具１１は、外側垂下板６１と内側垂下板４１を互いに接近させる方向に締め付けるために、外側垂下板６１と内側垂下板４１に締め付け手段を設けている。この締め付け手段は、いずれも前述した、外側垂下板６１の挿通穴６２と、内側垂下板４１の雌ねじ部４２と、雌ねじ部４２に螺合するボルト７１である。
【００４９】
ボルト７１の長さは、従金具５１の左右方向における長さよりも若干短く設定されている。具体的には、主金具３１の他方側に従金具５１を被せた状態において従金具５１の当接縁部５６が主金具３１の包囲切欠き部３４に干渉しない位置まで主金具３１の内側垂下板４１と従金具５１の外側垂下板６１を離間させても、雌ねじ部４２に対する螺合を可能とする長さである。また同時に、従金具５１を主金具３１に対して締めつけたときでも下葺屋根１２の角馳部２３ａの小平面部２８に達しない長さである。換言すれば、従金具５１を主金具３１に対して締めつけたときに、ボルト７１の先端が角馳部２３ａの突出部２７の左右方向における中間に達する長さに設定されている。
【００５０】
以上のような構成の取り付け金具１１は、主金具３１と従金具５１をボルト７１で結合して使用に供される。ボルト７１は他方側に従金具５１を被せた状態の主金具３１の雌ねじ部４２に螺合される。
【００５１】
使用に際しては、一部断面正面図である図７に示したように、従金具５１の当接縁部５６が主金具３１の包囲切欠き部３４に干渉しない位置まで内側垂下板４１と外側垂下板６１を離間させて、下葺屋根１２の角馳部２３ａに主金具３１の包囲切欠き部３４を被せる。図７中、７２は座金である。
【００５２】
このあとボルト７１を締め付けて、図８に仮想線で示したように従金具５１と主金具３１を相対的に近接させ、主金具３１の包囲切欠き部３４の下側部分を従金具５１の当接縁部５６で塞ぐ。同時に、主金具３１の挟圧部３５（挟圧板３６）と従金具５１の当接縁部５６で下葺屋根１２の角馳部２３ａの大平面部２６と小平面部２８に締め付け力を作用させる。また、ボルト７１の先端部が角馳部２３ａの突出部２７の下に入り込む。
【００５３】
ボルト７１の締め付けに際しては、従金具５１が主金具３１の他方側に嵌る形状であるので、ボルト７１を回転するという単純な作業のみで正確に角馳部２３ａの締め付けができる。また、締め付けに際して主金具３１と従金具５１が互いに接する部分は、交差板３２，５２のほかは、段差形成片６３の下端６３ａ部分であって、方向性の異なる接触部分がすべて面接触ではないので、主金具３１と従金具５１の相対移動が非常に円滑である。
【００５４】
そして締め付け状態においては、挟圧板３６に形成された複数の突起３７が締め付け力を局所的に集中させる。
【００５５】
このようにして締め付けによって取り付け金具１１を固定したあと、図４に示したように、ドリルねじ７３を突起３７のうちの一つから螺合して、固定状態の向上を図る。つまり、主金具３１の挟圧板３６の突起３７のうちの外側の一つの突起３７の凹部３７ａからドリルねじ７３を螺合し、図９、図１に示したように、ドリルねじ７３を角馳部２３ａの大平面部２６から小平面部２８に貫通させる。
【００５６】
小平面部２８におけるドリルねじ７３から突き抜ける部位の側部には、従金具５１の当接縁部５６が存在するので、螺合は確実に行われる。
【００５７】
このようにして取り付け金具１１を下葺屋根１２に対して固定したあと、図８に矢印で示したように、吊子１４を固定する。吊子１４は、主金具３１の上面板３３に接する接地面１４ａを有しており、接地面１４ａに向けて上下方向に貫通する貫通穴１４ｂを有している。貫通穴１４ｂは左右方向において長い長穴である。この貫通穴１４ｂに対して吊子固定ボルト７４を上から挿通し、吊子固定ボルト７４を主金具３１の固定部４４に螺合する。吊子１４の立設面１４ｃは、段差形成片６３に当接する。
【００５８】
取り付け金具１１に吊子１４を固定したあとは、上葺屋根１３を形成するため吊子１４に折板２２を固定する。
【００５９】
以上のようにして構成された屋根構造では、主金具３１の上面板３３の高さを極力低くしているとともに、締め付け手段のボルト７１を下葺屋根１２の角馳部２３ａの高さに設定しているので、取り付け金具１１の高さを抑えた小型化を図ることができる。この結果、下葺屋根１２と上葺屋根１３の高さの相違を抑えられ、回収したのちの屋根の高さを低くできる。
【００６０】
また、屋根構造に正圧がかかると、吊子１４を介してかかる荷重をボルト７１で一体化された主金具３１と従金具５１がそれぞれ支え、締め付け手段で一体化された主金具３１と従金具５１がそれぞれ、上面板３３，５３と交差板３２，５２で荷重を支える。特に、従金具５１の上面板５３にかかる荷重は、段差形成片６３を介して別体の主金具３１の上面板３３に分散されて伝達される。
【００６１】
一方、負圧が作用して主金具３１の固定部４４に上へ引き上げる力がかかると、次のように負荷を支える。主金具３１は締め付け手段を介して従金具５１と一体であるうえに、主金具３１と従金具５１とボルト７１が協働して角馳部３２ａを締め付けているので、主金具３１の上面板３３は単に接しているだけの従金具５１の段差形成片６３の下端６３ａで押さえられる。つまり、主金具３１の上方への変位や傾きが抑制される。段差形成片６３で押さえられる主金具３１の上面板３３は、段差部を１つの部材に一体形成した場合と異なり、高い剛性を有している。このため、段差成形片６３部分に負荷がかかっても、負荷は分散され、また負荷に対する十分な耐力が得られ、変形の力が局所的にかかることが抑制される。
【００６２】
このように、主金具３１と従金具５１が交差板３２，５２を有する構成であるとともに、段差が形成されるべき部位において主金具３１と従金具５１を別部材として分けて負荷の集中を回避する構成としたので、強固な固定状態を得られる。
【００６３】
また、下葺屋根１２の角馳部２３ａを挟持する部分は、主金具３１と従金具５１の交差板３２，５２に形成され、角馳部２３ａの下端部分のみではなく上下方向の比較的広い部分を挟持する。そのうえ、突起３７による締め付けや、ドリルねじ７３による固定もなされるので、高い固定強度が得られる。
【００６４】
それにもかわらず、主金具３１の包囲切欠き部３４と従金具５１の挟持部５４によって、角馳部２３ａの高さなどのも大きさのばらつきを吸収でき、所望の固定強度を得られる。
【００６５】
また、取り付け金具１１は、ボルト７１で締め付けて固定するものであり、主金具３１の内側垂下板４１には雌ねじ部４２を形成し、従金具５１の外側垂下板６１には挿通穴６２を形成している。このため、前述のように締め付け作業が簡単に行える上に、ボルト７１は外側垂下板６１の外側から差し込んで螺合するだけでよい。つまり、雌ねじ部４２はバーリングによって形成されており、ナットが必要ないので、作業性がよい。
【００６６】
そのうえ、主金具３１に形成する固定部４４もバーリングによるねじ穴で構成したので、吊子１４の固定にもナットが不要であり、使用に際してボルトに比して小さなナットを用いる必要なく、この点からも作業性がよい。
【００６７】
さらに、主金具３１の上面板３３から一体に折り曲げ形成された内側垂下板４１の外側面は、交差板３２から一体に折り曲げ形成された被覆板４３で内側に押さえ込まれている。また従金具５１の外側垂下板６１にあっては、交差板５２の端面５２ａに接する接合部６１ａが形成されている。つまり、内側垂下板４１は被覆板４３で外側への変形を防止され、外側垂下板６１は接合部６１ａと交差板５２との接触によって内側への変形が防止される。このため、ボルト７１による締め付け力を確実に作用させることができ、高い締め付け強度を得られる。
【００６８】
挟圧部３５を挟圧板３６で構成していることによって、締め付ける力を広げることができて強度の向上を図れる上に、挟圧板３６には突起３７が形成されているので、この点から強度の向上を図ることができる。
【００６９】
しかも、突起３７は凹部３７ａを有し、この凹部３７ａを位置決めに利用してドリルねじ７３を螺合するので、作業性が極めて良好である。作業場所が高所であり、比較的小さなドリルねじ７３を扱う場合でも、作業が簡易迅速に行える。
【００７０】
以上はこの発明を実施するための一形態の構成であって、この発明は前述の構成のみに限定されるものではなく、その他の構成を採用することもできる。
【００７１】
たとえば、主金具３１に形成する固定部４４は、上向きのボルトを固定して構成することができる。固定部４４は、取り付け物に応じて適宜設定される。
【００７２】
屋根構造におけるドリルねじ７３は省略してもよい。
【符号の説明】
【００７３】
１１…屋根上取り付け金具
１２…下葺屋根
１３…上葺屋根
２３…馳部
２３ａ…角馳部
３１…主金具
３２…交差板
３３…上面板
３４…包囲切欠き部
３５…挟圧部
３６…挟圧板
３７…突起
３７ａ…凹部
４１…内側垂下板
４２…雌ねじ部
４３…被覆板
４４…固定部
５１…従金具
５２…交差板
５２ａ…端面
５３…上面板
５４…挟持部
６１…外側垂下板
６１ａ…接合部
６２…挿通穴
６３…段差形成片
６３ａ…下端
７１…ボルト
７３…ドリルねじ
【図１】
2020037820.tif 000003
【図２】
2020037820.tif 000004
【図３】
2020037820.tif 000005
【図４】
2020037820.tif 000006
【図５】
2020037820.tif 000007
【図６】
2020037820.tif 000008
【図７】
2020037820.tif 000009
【図８】
2020037820.tif 000010
【図９】
2020037820.tif 000011